(57)【要約】【課題】  ユーザが低コストで手軽に利用でき、かつ、一般消費者間においても容易に認知させることができる、双方向サービスを提供することを目的とする。【解決手段】  ページ生成サーバ１であって、デジタル放送を受信してテレビ７に表示する放送受信装置４から、ユーザ情報を受信する手段と、受信したユーザ情報の中から、所定の情報を抽出する手段と、抽出した情報に基づく地図７−２が放送受信装置４に接続されたテレビ７での表示に適した形式で格納されている場所、を示すディスプレイ用ＵＲＬを取得または生成する手段と、抽出した情報に基づく地図７−２が携帯電話６での表示に適した形式で格納されている場所、を示すモバイル用ＵＲＬを取得または生成する手段と、情報をコードへ変換するコード変換サーバ５のＵＲＬ、ディスプレイ用ＵＲＬ、モバイル用ＵＲＬ、およびモバイル用ＵＲＬに関連する情報、をページに記述する手段と、を備える。【選択図】          図１
2005284340.tif 000002
【特許請求の範囲】
【請求項１】
コンテンツが記述されたページを生成するページ生成サーバにおいて、
前記コンテンツが記述されたページを受信する放送受信装置から、ユーザ情報を受信する手段と、
前記受信したユーザ情報の中から、所定の情報を抽出する手段と、
前記抽出した情報に基づくサービス情報が前記放送受信装置に接続されたディスプレイでの表示に適した形式で格納されている場所、を示すディスプレイ用ＵＲＬを取得または生成する手段と、
前記抽出した情報に基づくサービス情報が携帯端末での表示に適した形式で格納されている場所、を示すモバイル用ＵＲＬを取得または生成する手段と、
情報をコードへ変換するコード変換サーバのＵＲＬ、前記ディスプレイ用ＵＲＬ、前記モバイル用ＵＲＬ、および前記モバイル用ＵＲＬに関連する情報、をページに記述する手段と、
を備えたことを特徴とするページ生成サーバ。
【請求項２】
コンテンツが記述されたページを生成するページ生成サーバにおいて、
前記コンテンツが記述されたページを受信する放送受信装置から、ユーザ情報を受信する手段と、
前記受信したユーザ情報の中から、所定の情報を抽出する手段と、
前記抽出した情報に基づくサービス情報が前記放送受信装置に接続されたディスプレイでの表示に適した形式で格納されている場所、を示すディスプレイ用ＵＲＬを取得または生成する手段と、
前記抽出した情報に基づくサービス情報が携帯端末での表示に適した形式で格納されている場所、を示すモバイル用ＵＲＬを取得または生成する手段と、
前記モバイル用ＵＲＬおよび前記モバイル用ＵＲＬに関連する情報をコードへ変換する手段と、
前記ディスプレイ用ＵＲＬおよび前記変換によってコード化された情報をページに記述する手段と、
を備えたことを特徴とするページ生成サーバ。
【請求項３】
請求項１に記載のページ生成サーバから、情報を受信する手段と、
前記ページ生成サーバから受信した情報をキーとして、前記ページを受信する放送受信装置に接続されたディスプレイでの表示に適した形式でサービス情報が格納されている場所、を示すディスプレイ用ＵＲＬをデータベースの中から検索する手段と、
前記検索により得られたディスプレイ用ＵＲＬを、前記ページ生成サーバへ送信する手段と、
を備えたことを特徴とするディスプレイ用検索サーバ。
【請求項４】
請求項１に記載のページ生成サーバから、情報を受信する手段と、
前記ページ生成サーバから受信した情報をキーとして、携帯端末での表示に適した形式でサービス情報が格納された場所、を示すモバイル用ＵＲＬをデータベースの中から検索する手段と、
前記検索により得られたモバイル用ＵＲＬを、前記ページ生成サーバへ送信する手段と、
を備えたことを特徴とするモバイル用検索サーバ。
【請求項５】
コンテンツが記述されたページを生成するページ生成サーバから、前記ページを受信してディスプレイに表示する放送受信装置において、
ユーザによる操作信号を受信する手段と、
前記受信した操作信号から、ユーザがサービス情報を新たに要求したか、または、ユーザが要求するサービス情報が変化したか、を検査する手段と、
ユーザがサービス情報を新たに要求した場合、または、要求するサービス情報が変化した場合に、前記ページ生成サーバにサービス情報を求める新たなリクエストを送信する手段と、
を備えたことを特徴とする放送受信装置。
【請求項６】
コンテンツが記述されたページを生成するページ生成サーバに、
前記コンテンツが記述されたページを受信する放送受信装置から、ユーザ情報を受信するステップと、
前記受信したユーザ情報の中から、所定の情報を抽出するステップと、
前記抽出した情報に基づくサービス情報が前記放送受信装置に接続されたディスプレイでの表示に適した形式で格納されている場所、を示すディスプレイ用ＵＲＬを取得または生成するステップと、
前記抽出した情報に基づくサービス情報が携帯端末での表示に適した形式で格納されている場所、を示すモバイル用ＵＲＬを取得または生成するステップと、
情報をコードへ変換するコード変換サーバのＵＲＬ、前記ディスプレイ用ＵＲＬ、前記モバイル用ＵＲＬ、および前記モバイル用ＵＲＬに関連する情報、をページに記述するステップと、
を実行させることを特徴とするページ生成サーバプログラム。
【請求項７】
コンテンツが記述されたページを生成するページ生成サーバに、
前記コンテンツが記述されたページを受信する放送受信装置から、ユーザ情報を受信するステップと、
前記受信したユーザ情報の中から、所定の情報を抽出するステップと、
前記抽出した情報に基づくサービス情報が前記放送受信装置に接続されたディスプレイでの表示に適した形式で格納されている場所、を示すディスプレイ用ＵＲＬを取得または生成するステップと、
前記抽出した情報に基づくサービス情報が携帯端末での表示に適した形式で格納されている場所、を示すモバイル用ＵＲＬを取得または生成するステップと、
前記モバイル用ＵＲＬおよび前記モバイル用ＵＲＬに関連する情報をコードへ変換するステップと、
前記ディスプレイ用ＵＲＬおよび前記変換によってコード化された情報をページに記述するステップと、
を実行させることを特徴とするページ生成サーバプログラム。
【請求項８】
請求項１に記載のページ生成サーバから、情報を受信するステップと、
前記ページ生成サーバから受信した情報をキーとして、前記ページを受信する放送受信装置に接続されたディスプレイでの表示に適した形式でサービス情報が格納されている場所、を示すディスプレイ用ＵＲＬをデータベースの中から検索するステップと、
前記検索により得られたディスプレイ用ＵＲＬを、前記ページ生成サーバへ送信するステップと、
をディスプレイ用検索サーバに実行させることを特徴とするディスプレイ用検索サーバプログラム。
【請求項９】
請求項１に記載のページ生成サーバから、情報を受信するステップと、
前記ページ生成サーバから受信した情報をキーとして、携帯端末での表示に適した形式でサービス情報が格納された場所、を示すモバイル用ＵＲＬをデータベースの中から検索するステップと、
前記検索により得られたモバイル用ＵＲＬを、前記ページ生成サーバへ送信するステップと、
をモバイル用検索サーバに実行させることを特徴とするモバイル用検索サーバプログラム。
【請求項１０】
コンテンツが記述されたページを生成するページ生成サーバから前記ページを受信してディスプレイに表示する放送受信装置に、
ユーザによる操作信号を受信するステップと、
前記受信した操作信号から、ユーザがサービス情報を新たに要求したか、または、ユーザが要求するサービス情報が変化したか、を検査するステップと、
ユーザがサービス情報を新たに要求した場合、または、要求するサービス情報が変化した場合に、前記ページ生成サーバにサービス情報を求める新たなリクエストを送信するステップと、
を実行させることを特徴とする放送受信装置プログラム。
【発明の詳細な説明】
【技術分野】
【０００１】
本発明は、双方向サービスに関し、特に、デジタル放送と通信とを使った双方向サービスに関する。
【背景技術】
【０００２】
ＢＳデジタル放送の開始によって、いわゆる双方向サービス（ｉｎｔｅｒａｃｔｉｖｅ  ｓｅｒｖｉｃｅ）が、一般家庭へ本格的に導入されようとしている。この双方向サービスによれば、テレビを操作することによって番組で紹介されている商品を購入したり、テレビを操作することによって目的地域の詳細な天気情報をテレビ画面に表示したり、テレビを操作することによってクイズ番組で出題された問題に解答したり、テレビを操作することによってテレビ番組で実施されているアンケートにリアルタイムに回答したりすることなどが、可能となる（非特許文献１参照）。
【非特許文献１】“双方向サービス（ｉｎｔｅｒａｃｔｉｖｅ  ｓｅｒｖｉｃｅ）”、［ｏｎｌｉｎｅ］、ＩＴ用語辞典  ｅ−Ｗｏｒｄｓ、［平成１６年３月２３日検索］、インターネット＜ＵＲＬ：ｈｔｔｐ：／／ｅ−ｗｏｒｄｓ．ｊｐ／ｗ／Ｅ５８Ｆ８ＣＥ６９６Ｂ９Ｅ５９０９１Ｅ３８２Ｂ５Ｅ３８３ＢＣＥ３８３９３Ｅ３８２Ｂ９．ｈｔｍｌ＞
【発明の開示】
【発明が解決しようとする課題】
【０００３】
しかしながら、このようなテレビを操作して行う双方向サービスは、一般消費者間における認知度の低さや、構造上の問題や、導入コストが高額であるなどのため、その利用がいまだ困難である。したがって、現状では、少数の限られたユーザのみが、上記したテレビを操作して行う双方向サービスを利用できているに過ぎない。よって、多くのユーザは、いまだ、テレビ画面上に表示された電話番号や住所やＵＲＬを、手動で電話に入力したり、手動でハガキに記入したり、手動でパソコンに入力したりするなどして、番組で紹介されている商品を購入したり、目的地域の詳細な天気情報を取得したり、クイズ番組で出題された問題に解答したり、テレビ番組で実施されているアンケートに回答したりなどしていた。
【０００４】
そこで、本発明は、ユーザが低コストで手軽に利用でき、かつ、一般消費者間においても容易に認知させることができる、双方向サービスを提供することを目的とする。
【課題を解決するための手段】
【０００５】
本発明によれば、上記課題は、次の手段によって、解決される。
【０００６】
第１の発明は、コンテンツが記述されたページを生成するページ生成サーバにおいて、前記コンテンツが記述されたページを受信する放送受信装置から、ユーザ情報を受信する手段と、前記受信したユーザ情報の中から、所定の情報を抽出する手段と、前記抽出した情報に基づくサービス情報が前記放送受信装置に接続されたディスプレイでの表示に適した形式で格納されている場所、を示すディスプレイ用ＵＲＬを取得または生成する手段と、前記抽出した情報に基づくサービス情報が携帯端末での表示に適した形式で格納されている場所、を示すモバイル用ＵＲＬを取得または生成する手段と、情報をコードへ変換するコード変換サーバのＵＲＬ、前記ディスプレイ用ＵＲＬ、前記モバイル用ＵＲＬ、および前記モバイル用ＵＲＬに関連する情報、をページに記述する手段と、を備えたことを特徴とするページ生成サーバである。
【０００７】
第２の発明は、コンテンツが記述されたページを生成するページ生成サーバにおいて、前記コンテンツが記述されたページを受信する放送受信装置から、ユーザ情報を受信する手段と、前記受信したユーザ情報の中から、所定の情報を抽出する手段と、前記抽出した情報に基づくサービス情報が前記放送受信装置に接続されたディスプレイでの表示に適した形式で格納されている場所、を示すディスプレイ用ＵＲＬを取得または生成する手段と、前記抽出した情報に基づくサービス情報が携帯端末での表示に適した形式で格納されている場所、を示すモバイル用ＵＲＬを取得または生成する手段と、前記モバイル用ＵＲＬおよび前記モバイル用ＵＲＬに関連する情報をコードへ変換する手段と、前記ディスプレイ用ＵＲＬおよび前記変換によってコード化された情報をページに記述する手段と、を備えたことを特徴とするページ生成サーバである。
【０００８】
第３の発明は、第１の発明に係るページ生成サーバから、情報を受信する手段と、前記ページ生成サーバから受信した情報をキーとして、前記ページを受信する放送受信装置に接続されたディスプレイでの表示に適した形式でサービス情報が格納されている場所、を示すディスプレイ用ＵＲＬをデータベースの中から検索する手段と、前記検索により得られたディスプレイ用ＵＲＬを、前記ページ生成サーバへ送信する手段と、を備えたことを特徴とするディスプレイ用検索サーバである。
【０００９】
第４の発明は、第１の発明に係るページ生成サーバから、情報を受信する手段と、前記ページ生成サーバから受信した情報をキーとして、携帯端末での表示に適した形式でサービス情報が格納された場所、を示すモバイル用ＵＲＬをデータベースの中から検索する手段と、前記検索により得られたモバイル用ＵＲＬを、前記ページ生成サーバへ送信する手段と、を備えたことを特徴とするモバイル用検索サーバである。
【００１０】
第５の発明は、コンテンツが記述されたページを生成するページ生成サーバから、前記ページを受信してディスプレイに表示する放送受信装置において、  ユーザによる操作信号を受信する手段と、前記受信した操作信号から、ユーザがサービス情報を新たに要求したか、または、要求するサービス情報が変化したか否か、を検査する手段と、ユーザがサービス情報を新たに要求した場合、または、ユーザが要求するサービス情報が変化した場合に、前記ページ生成サーバにサービス情報を求める新たなリクエストを送信する手段と、を備えたことを特徴とする放送受信装置である。
【００１１】
第６の発明は、コンテンツが記述されたページを生成するページ生成サーバに、前記コンテンツが記述されたページを受信する放送受信装置から、ユーザ情報を受信するステップと、前記受信したユーザ情報の中から、所定の情報を抽出するステップと、前記抽出した情報に基づくサービス情報が前記放送受信装置に接続されたディスプレイでの表示に適した形式で格納されている場所、を示すディスプレイ用ＵＲＬを取得または生成するステップと、前記抽出した情報に基づくサービス情報が携帯端末での表示に適した形式で格納されている場所、を示すモバイル用ＵＲＬを取得または生成するステップと、情報をコードへ変換するコード変換サーバのＵＲＬ、前記ディスプレイ用ＵＲＬ、前記モバイル用ＵＲＬ、および前記モバイル用ＵＲＬに関連する情報、をページに記述するステップと、を実行させることを特徴とするページ生成サーバプログラムである。
【００１２】
第７の発明は、コンテンツが記述されたページを生成するページ生成サーバに、前記コンテンツが記述されたページを受信する放送受信装置から、ユーザ情報を受信するステップと、前記受信したユーザ情報の中から、所定の情報を抽出するステップと、前記抽出した情報に基づくサービス情報が前記放送受信装置に接続されたディスプレイでの表示に適した形式で格納されている場所、を示すディスプレイ用ＵＲＬを取得または生成するステップと、前記抽出した情報に基づくサービス情報が携帯端末での表示に適した形式で格納されている場所、を示すモバイル用ＵＲＬを取得または生成するステップと、前記モバイル用ＵＲＬおよび前記モバイル用ＵＲＬに関連する情報をコードへ変換するステップと、前記ディスプレイ用ＵＲＬおよび前記変換によってコード化された情報をページに記述するステップと、を実行させることを特徴とするページ生成サーバプログラムである。
【００１３】
第８の発明は、第１の発明に係るページ生成サーバから、情報を受信するステップと、前記ページ生成サーバから受信した情報をキーとして、前記ページを受信する放送受信装置に接続されたディスプレイでの表示に適した形式でサービス情報が格納されている場所、を示すディスプレイ用ＵＲＬをデータベースの中から検索するステップと、前記検索により得られたディスプレイ用ＵＲＬを、前記ページ生成サーバへ送信するステップと、をディスプレイ用検索サーバに実行させることを特徴とするディスプレイ用検索サーバプログラムである。
【００１４】
第９の発明は、第１の発明に係るページ生成サーバから、情報を受信するステップと、前記ページ生成サーバから受信した情報をキーとして、携帯端末での表示に適した形式でサービス情報が格納された場所、を示すモバイル用ＵＲＬをデータベースの中から検索するステップと、前記検索により得られたモバイル用ＵＲＬを、前記ページ生成サーバへ送信するステップと、をモバイル用検索サーバに実行させることを特徴とするモバイル用検索サーバプログラムである。
【００１５】
第１０の発明は、コンテンツが記述されたページを生成するページ生成サーバから前記ページを受信してディスプレイに表示する放送受信装置に、ユーザによる操作信号を受信するステップと、前記受信した操作信号から、ユーザがサービス情報を新たに要求したか、または、ユーザが要求するサービス情報が変化したか、を検査するステップと、ユーザがサービス情報を新たに要求した場合、または、要求するサービス情報が変化した場合に、前記ページ生成サーバにサービス情報を求める新たなリクエストを送信するステップと、を実行させることを特徴とする放送受信装置プログラムである。
【発明の効果】
【００１６】
本発明によれば、ユーザが低コストで手軽に利用でき、かつ、一般消費者間においても容易に認知させることができる、双方向サービスを提供することができる。
【発明を実施するための最良の形態】
【００１７】
以下に、添付した図面を参照しつつ、本発明を実施するための最良の形態を詳細に説明する。
【００１８】
図１は、本発明の実施の形態に係る放送システムを示す図である。この本発明の実施の形態に係るシステムにおいては、放送局が、デジタルコンテンツを放送する。このデジタルコンテンツの放送は、放送局が、ＢＭＬ（Ｂｒｏａｄｃａｓｔ  Ｍａｒｋｕｐ  Ｌａｎｇｕａｇｅ）で記述されたページ（以下、「ＢＭＬページ」という。）を放送することによって行われる。
【００１９】
図１に示すように、本発明の実施の形態に係る放送システムは、放送局に設置されたページ生成サーバ１と、このページ生成サーバ１にネットワーク１４を介して接続されたディスプレイ用ＵＲＬ検索サーバ２と、ページ生成サーバ１にネットワーク１４を介して接続されたモバイル用ＵＲＬ検索サーバ３と、ページ生成サーバ１にネットワーク１４を介して接続されたデータベース（ＤＢ）８と、ユーザ宅に設置されたネットワーク接続用ケーブル１５を介してネットワーク１４に接続されたデジタル放送受信装置４と、このデジタル放送受信装置４に接続されたテレビ７と、ネットワーク１４上に存在するコード変換サーバ５と、を備えている。
なお、本発明の実施の形態においては、ディスプレイ用ＵＲＬ検索サーバ２、モバイル用検索サーバ３、およびデータベース８を、１つの検索システムとして構成することもできる。そして、この検索システムをネットワーク１４上に複数存在させ、それぞれを、別個の者が管理する構成とすることもできる。この場合、ページ生成サーバ１は、複数の検索システムの中から、所定の条件を満たす検索システムまたは任意の検索システムを選択して、この選択した検索システムにアクセスする。
【００２０】
放送局に設置されたページ生成サーバ１で生成されたＢＭＬページは、放送波やネットワーク１４を利用してデジタル放送受信装置４へ放送・配信される。
放送局から放送されたＢＭＬページは、衛星１０を介して、ユーザ宅のＢＳ／ＣＳ１１０°アンテナ１２で受信され、デジタル放送受信装置４に入力される。
また、放送局からネットワーク１４を利用して配信されたＢＭＬページは、ネットワーク接続用ケーブル１５を介して、ユーザ宅に設置されたデジタル放送受信装置４に入力される。
デジタル放送受信装置４に放送・配信されたＢＭＬページは、所定の処理を施された後、テレビ７に表示される。
このテレビ７には、たとえば、図２に記載のウィンドウが表示される。図２のウィンドウには、テレビ番組７−１と、このテレビ番組７−１で紹介されている地域の周辺の地図７−２と、この地図７−２の中心を移動するボタン７−３と、地図７−２の縮尺を変更するボタン７−４と、中心または縮尺を変更した場合に変更前の中心または縮尺に地図７−２を戻すボタン７−５と、現在表示されている地図７−２を再表示するボタン７−６と、テレビ７に表示されている地図７−２に同期しているシンボル７−７と、が表示されている。
ここで、このシンボル７−７を携帯端末６で読み取ると、携帯端末６は、この読み取ったシンボルが示すコードをデコードして、シンボル７−７に埋め込まれていたモバイル用ＵＲＬと所定の文字列（たとえば、「○×周辺の地図は下記ＵＲＬにアクセスするとゲットできます。」）とを取得し、画面に表示する（図３）。なお、このモバイル用ＵＲＬには、携帯端末６での表示に適した形式で地図７−２が格納されている。
携帯端末６の画面に表示されたモバイル用ＵＲＬがユーザのボタン操作などにより選択されると、携帯端末６は、その選択されたモバイル用ＵＲＬにアクセスして、携帯端末６での表示に適した形式で格納されている地図７−２をダウンロードして画面に表示する（図３参照）。なお、携帯端末６からモバイル用ＵＲＬへのアクセスは、たとえば、アンテナ１３が設定された中継装置９を介して行われる。
【００２１】
以上説明したように、本発明の実施の形態に係る放送システムによれば、地図７−２と、この地図７−２に同期しているモバイル用ＵＲＬが埋め込まれたシンボル７−７と、がテレビ番組７−１と同時にテレビ７に表示され、この地図７−２の内容を変更したらシンボル７−７に埋め込まれている情報も変更される。従って、本発明の実施の形態に係る放送システムによれば、テレビ７に表示されたＵＲＬを携帯端末６に手動で入力することなく、携帯端末６に地図７−２を表示させることができる。また、テレビ７のユーザは、不特定多数であるため、本発明の実施の形態に係る放送システムによれば、一般消費者が容易に認知できる双方向サービスを提供することができる。
【００２２】
図４は、ページ生成サーバ１の構成例を示す図である。
図４に示すように、ページ生成サーバ１は、ＣＰＵ１−１と、ＲＡＭ１−２と、ＲＯＭ１−３と、ハードディスク１−４と、ネットワークインタフェース（有線）１−５と、ネットワークインタフェース（無線）１−６と、これらの間で信号を伝達するバスと、を備えている。ＣＰＵ１−１は、ＲＯＭ１−３またはハードディスク１−４に格納されているページ生成サーバプログラムを、ＲＡＭ１−２を用いて実行する。
【００２３】
以下、図５を参照しつつ、このページ生成サーバプログラムが有する第１のステップ（Ｓ１−１）〜第１０のステップ（Ｓ１−１０）について説明する。
第１のステップ（Ｓ１−１）は、デジタル放送受信装置４から、情報を受信するステップである。ここで、デジタル放送受信装置４から受信する情報としては、たとえば、テレビ７に新たな地図が表示されたという情報、テレビ７に表示されている地図の中心が移動したという情報、テレビ７に表示されている地図の縮尺が変更したという情報、ユーザにより入力された文字または文字列、またはこれらの組み合わせなどの情報がある。
第２のステップ（Ｓ１−２）は、デジタル放送受信装置４から受信した情報の中から、所定の情報のみを抽出するステップである。このステップにより、ＣＰＵ１−１は、デジタル放送受信装置４から受信した情報の中から、たとえば、テレビ７に新たな地図が表示されたという情報、テレビ７に表示されている地図の中心が移動したという情報、テレビ７に表示されている地図の縮尺が変更したという情報などの、地図７−２とシンボル７−７との同期を取るために必要とされる情報のみを取り出すことができる。なお、本発明は、同期を取るために必要な情報を限定するものではないが、たとえば、上記したテレビ７に新たな地図が表示されたという情報や、テレビ７に表示されている地図の中心が移動したという情報や、テレビ７に表示されている地図の縮尺が変更したという情報や、テレビ７に表示されている地図の中心の緯度・経度などを、同期を取るために必要な情報とすることができる。
第３のステップ（Ｓ１−３）は、抽出した情報に基づくサービス情報が格納されている場所を示すＵＲＬを、ページ生成サーバ１が備えるＤＢにおいて検索するステップである。ここで、抽出した情報に基づくサービス情報とは、たとえば、抽出した情報が「東京駅」である場合には、東京駅周辺の地図などをいう。
第４のステップ（Ｓ１−４）は、抽出した情報に基づくサービス情報についてのディスプレイ用ＵＲＬを、自己が備えるデータから取得または生成できないか否かを判断するステップである。ここで、ディスプレイ用ＵＲＬとは、テレビ７での表示に適した形式でサービス情報（本実施の形態においては、地図）が格納されている場所を示すＵＲＬである。ＣＰＵ１−１は、ディスプレイ用ＵＲＬを取得できた場合には第７のステップ（Ｓ１−７）に進み、取得できない場合には第５のステップ（Ｓ１−５）に進む。
第５のステップ（Ｓ１−５）は、第２のステップ（Ｓ１−２）で抽出した情報を、ディスプレイ用検索サーバ２へ送信するステップである。このステップにより、ＣＰＵ１−１は、ディスプレイ用検索サーバ２にディスプレイ用ＵＲＬの検索を依頼する。なお、検索を依頼するディスプレイ用検索サーバ２が複数存在する場合、ページ生成サーバ１は、デジタル放送受信装置４から受信した情報に基づいて、検索を依頼するディスプレイ用検索サーバ２を選択する。
第６のステップ（Ｓ１−６）は、ディスプレイ用検索サーバ２からディスプレイ用ＵＲＬを取得するステップである。このステップにより、ＣＰＵ１−１は、ディスプレイ用検索サーバ２に依頼したディスプレイ用ＵＲＬを、ディスプレイ用検索サーバ２から取得する。
第７のステップ（Ｓ１−７）は、抽出した情報に基づくサービス情報についてのモバイル用ＵＲＬを、自己が備えるデータから取得または生成できないか否かを判断するステップである。ここで、モバイル用ＵＲＬとは、携帯端末６での表示に適した形式でサービス情報（本実施の形態においては、地図）が格納されている場所を示すＵＲＬである。ＣＰＵ１−１は、モバイル用ＵＲＬを取得できた場合には第１０のステップＳ１−１０に進み、取得できない場合には第８のステップ（Ｓ１−８）に進む。
第８のステップ（Ｓ１−８）は、第８のステップ（Ｓ１−８）で抽出した情報を、モバイル用検索サーバ３へ送信するステップである。このステップにより、ＣＰＵ１−１は、モバイル用検索サーバ３にモバイル用ＵＲＬの検索を依頼する。なお、検索を依頼するモバイル用検索サーバ２が複数存在する場合、ページ生成サーバ１は、デジタル放送受信装置４から受信した情報に基づいて、検索を依頼するモバイル用検索サーバ２を選択する。
第９のステップ（Ｓ１−９）は、モバイル用検索サーバ３からモバイル用ＵＲＬを取得するステップである。このステップにより、ＣＰＵ１−１は、モバイル用検索サーバ３に依頼したモバイル用ＵＲＬを、モバイル用検査サーバ３から取得する。
第１０のステップ（Ｓ１−１０）は、コード変換サーバ５のＵＲＬと、取得したディスプレイ用ＵＲＬと、取得したモバイル用ＵＲＬと、所定の情報（たとえば、「○×周辺の地図は下記ＵＲＬにアクセスするとゲットできます。」）と、をコンテンツが記述されたＢＭＬページまたはコンテンツが記述されていないＢＭＬページに記述するステップである。なお、ディスプレイ用ＵＲＬとモバイル用ＵＲＬとが記述されたＢＭＬページの例を図６に示す。
【００２４】
図７は、ディスプレイ用検索サーバ２の構成例を示す図である。
図７に示すように、ディスプレイ用検索サーバ２は、ＣＰＵ２−１と、ＲＡＭ２−２と、ＲＯＭ２−３と、ハードディスク２−４と、ネットワークインタフェース（有線）２−５と、ネットワークインタフェース（無線）２−６と、これらの間で信号を伝達するバスと、を備えている。ＣＰＵ２−１は、ＲＯＭ２−３またはハードディスク２−４に格納されているディスプレイ用検索サーバプログラムを、ＲＡＭ２−２を用いて実行する。
【００２５】
以下、図８を参照しつつ、このディスプレイ用検索サーバプログラムが有する第１のステップ（Ｓ２−１）〜第４のステップ（Ｓ２−４）について説明する。
第１のステップ（Ｓ２−１）は、ページ生成サーバ１から情報を受信するステップである。このステップにより、ＣＰＵ２−１は、上記した第２のステップ（Ｓ１−２）でページ生成サーバ１が抽出した情報（たとえば、「東京駅」）、を受信する。
第２のステップ（Ｓ２−２）は、受信した情報（たとえば、「東京駅」）をキーとして、データベース８内を検索する。
第３のステップ（Ｓ２−３）は、第２のステップ（Ｓ２−２）で検索した結果をデータベース８から取得するステップである。このステップにより、ＣＰＵ２−１は、たとえば、ディスプレイでの表示に適した形式で東京駅周辺の地図が格納された場所についてのＵＲＬ（たとえば、データベース８内におけるパス名）を取得する。
第４のステップ（Ｓ２−４）は、取得したディスプレイ用ＵＲＬ（たとえば、東京駅周辺の地図が格納された場所についてのＵＲＬ）をページ生成サーバ１へ送信するステップである。
【００２６】
図９は、モバイル用検索サーバ３の構成例を示す図である。
図９に示すように、モバイル用検索サーバ３は、ＣＰＵ３−１と、ＲＡＭ３−２と、ＲＯＭ３−３と、ハードディスク３−４と、ネットワークインタフェース（有線）３−５と、ネットワークインタフェース（無線）３−６と、これらの間で信号を伝達するバスと、を備えている。ＣＰＵ３−１は、ＲＯＭ３−３またはハードディスク３−４に格納されているモバイル用検索サーバプログラムを、ＲＡＭ３−２を用いて実行する。
【００２７】
以下、図１０を参照しつつ、このモバイル用検索サーバプログラムが有する第１のステップ（Ｓ３−１）〜第４のステップ（Ｓ３−４）について説明する。
第１のステップ（Ｓ３−１）は、ページ生成サーバ１から情報を受信するステップである。このステップにより、ＣＰＵ３−１は、上記した第２のステップ（Ｓ３−２）でページ生成サーバ１が抽出した情報（たとえば、「東京駅」）を受信する。
第２のステップ（Ｓ３−２）は、受信した情報（たとえば、「東京駅」）をキーとして、データベース８内を検索するステップである。
第３のステップ（Ｓ３−３）は、第２のステップ（Ｓ３−２）で検索した結果をデータベース８から取得するステップである。このステップにより、ＣＰＵ３−１は、たとえば、携帯端末６での表示に適した形式で東京駅周辺の地図が格納された場所についてのＵＲＬ（たとえば、データベース８内におけるパス名）を取得する。
第４のステップ（Ｓ３−４）は、取得したモバイル用ＵＲＬ（たとえば、東京駅周辺の地図が格納された場所についてのＵＲＬ）をページ生成サーバ１へ送信するステップである。
【００２８】
図１１は、デジタル放送受信装置４が実行するＢＭＬ上のスクリプトを説明する図である。以下、図１１を参照しつつ、このスクリプトが有する第１のステップ（Ｓ４−１）〜第３のステップ（Ｓ４−３）について説明する。
第１のステップ（Ｓ４−１）は、ユーザによるリモコンの操作等により、新たなサービスを要求するイベント信号を発信しているかどうかを検査するステップである。ここでいう新たなサービスを要求するイベント信号とは、たとえば、テレビ７に表示されている地図の中心を移動したいという信号、テレビ７に表示されている地図の縮尺を変更したいという信号などである。このステップにより、デジタル放送受信装置４は、所定の情報を検知した時点で、第２のステップ（Ｓ４−２）へ進み、これらの信号が検知されなかった場合には、スタートに戻る。
第２のステップ（Ｓ４−２）は、検知した信号ごとに、ページ生成サーバ１へ送信すべき情報を取得・生成し、ページ生成サーバ１へ情報を送信するステップである。このページ生成サーバ１に送信される「情報」は、上記した第１のステップＳ１−１でページ生成サーバ１が受信する「情報」に相当する。
第３のステップ（Ｓ４−３）は、送信した情報の結果として、ページ生成サーバ１が出力したＢＭＬページと、データベースからの地図と、コード生成サーバからのコードと、を取得し、テレビ７に表示するステップである。
【００２９】
図１２は、コード変換サーバ５の構成例を示す図である。
図１２に示すように、コード変換サーバ５は、ＣＰＵ５−１と、ＲＡＭ５−２と、ＲＯＭ５−３と、ハードディスク５−４と、ネットワークインタフェース（有線）５−５と、ネットワークインタフェース（無線）５−６と、これらの間で信号を伝達するバスと、を備えている。ＣＰＵ５−１は、ＲＯＭ５−３に格納されているコード変換サーバプログラムを、ＲＡＭ５−２を用いて実行する。
【００３０】
以下、図１３を参照しつつ、このコード変換サーバプログラムが有する第１のステップ（Ｓ５−１）〜第３のステップ（Ｓ５−３）について説明する。
第１のステップ（Ｓ５−１）は、デジタル放送受信装置４から、モバイル用ＵＲＬと、所定の情報（たとえば、「○×周辺の地図は下記ＵＲＬにアクセスするとゲットできます。」）と、を通知されるステップである。
第２のステップ（Ｓ５−２）は、受信したモバイル用ＵＲＬと、所定の情報（たとえば、「○×周辺の地図は下記ＵＲＬにアクセスするとゲットできます。」）と、をコードに変換するステップである。
第３のステップ（Ｓ５−３）は、変換により得られたコードを、デジタル放送受信装置４へ送信するステップである。
【００３１】
図１４は、携帯端末６の構成例を示す図である。
図１４に示すように、携帯端末６は、ＣＰＵ６−１と、ＲＡＭ６−２と、ＲＯＭ６−３と、各種ボタン６−４と、アンテナ６−５と、画面６−６と、テレビ７に表示されたシンボル７−７を読み取ることができるカメラ６−７と、これらの間で信号を伝達するバスと、を備えている。ＣＰＵ６−１は、ＲＯＭ６−３に格納されている携帯端末プログラムを、ＲＡＭ６−２を用いて実行する。
【００３２】
以下、図１５を参照しつつ、この携帯端末プログラムが有する第１のステップ（Ｓ６−１）〜第６のステップ（Ｓ６−６）について説明する。
第１のステップ（Ｓ６−１）は、カメラ６−７を用いて、テレビ７からシンボル７−７を読み取るステップである。
第２のステップ（Ｓ６−２）は、読み取ったシンボル７−が示すコードをデコードして、モバイル用ＵＲＬと所定の情報（たとえば、「○×周辺の地図は下記ＵＲＬにアクセスするとゲットできます。」）とを取得するステップである。
第３のステップ（Ｓ６−３）は、取得した情報を画面６−６に表示するステップである。
第４のステップ（Ｓ６−４）は、画面６−６に表示されたモバイル用ＵＲＬを、ユーザがボタン６−４を操作することによって、選択したか否かを判断するステップである。ＣＰＵ６−１は、モバイル用ＵＲＬが選択された場合は、第５のステップ（Ｓ６−５）に進み、選択されていない場合は、第４のステップ（Ｓ６−４）の処理を継続する。
第５のステップ（Ｓ６−５）は、ユーザによるボタン６−４によって選択されたモバイル用ＵＲＬにアクセスして、地図をダウンロードするステップである。
第６のステップ（Ｓ６−６）は、ダウンロードした地図を画面６−６に表示するステップである。
【００３３】
なお、本発明の実施の形態に係る放送システムにおいては、放送局からユーザ宅へのコンテンツの放送が衛星を介して行われるとし、また、放送局からユーザ宅へのコンテンツの配信がネットワーク１４を介して行われるとしたが、本発明は、放送局からユーザ宅へのコンテンツの伝達手段を限定するものではない。したがって、本発明においては、放送局からユーザ宅へのコンテンツの伝達手段に、地上波による伝達手段や、ＣＡＴＶ局経由による伝達手段を採用することもできる。
【００３４】
また、本発明の実施の形態においては、理解を容易にするため、デジタル放送受信装置４がテレビ７に外付けされるものとしたが、このデジタル放送受信装置４は、テレビ７に内蔵されてもよい。
【００３５】
また、本発明の実施の形態においては、デジタル放送を例として本発明を説明したが、本発明の適用が、デジタル放送に限定されるものでないことは、いうまでもない。したがって、本発明においては、たとえば、上記したデジタル放送受信装置４をパソコンやワークステーションなどで構成し、上記したテレビ７を液晶ディスプレイやＣＲＴディスプレイなどで構成することができる。この場合には、たとえば、ＷｅｂサーバからＷｅｂページをダウンロードするシステムや、Ｗｅｂサーバから動画や音楽などをストリーミング配信するシステムなどにおいて、本発明が適用されることになる。
【００３６】
また、本発明の実施の形態におけるコードは、ＱＲコード（登録商標）などの二次元コードとすることができるが、本発明が、コードの種類を限定するものでないことは、いうまでもない。
【００３７】
また、本発明の実施の形態におけるシンボル７−７は、たとえば、ＢＭＬページに記述されるＢＭＬ要素自体によってテレビ７に表示できるが、このシンボル７−７は、たとえば、ＪＰＥＧや、ＧＩＦや、ＴＩＦＦなどの画像ファイルによってもディスプレイ上に表示することができる。
【００３８】
なお、携帯端末６としては、たとえば、携帯電話や携帯情報端末（ＰＤＡ）など用いることができるが、本発明が、携帯端末の種類を限定するものでないことはいうまでもない。
【００３９】
また、本発明の実施の形態においては、ページ生成サーバ１が放送局に設置されていたが、本発明が、ページ生成サーバ１が設置されている場所を放送局に限定するものでないことは、いうまでもない。したがって、コンテンツページ生成サーバ１は、たとえば、プロバイダなどの放送局以外の場所に設置することができる。
【００４０】
また、本発明の実施の形態においては、コンテンツがＢＭＬで記述されているとしたが、本発明においては、コンテンツをあらゆる言語で記述することができる。したがって、本発明においては、たとえば、ＨＴＭＬやＳＧＭＬ（Ｓｔａｎｄａｒｄ  Ｇｅｎｅｒａｌｉｚｅｄ  Ｍａｒｋｕｐ  Ｌａｎｇｕａｇｅ）やＸＭＬ（ｅＸｔｅｎｓｉｂｌｅ  Ｍａｒｋｕｐ  Ｌａｎｇｕａｇｅ）やＸＨＴＭＬ（ｅＸｔｅｎｓｉｂｌｅ  ＨｙｐｅｒＴｅｘｔ  Ｍａｒｋｕｐ  Ｌａｎｇｕａｇｅ）やＴｅＸなどでコンテンツを記述することもできる。
【００４１】
なお、本発明において「ユーザ」とは、デジタル放送の視聴者や、アナログ放送の視聴者や、インターネットにおけるＷｅｂページを閲覧する者や、インターネットにおけるストリーミング配信を視聴する者などをいうが、本発明が「ユーザ」の範囲を限定するものでないことは、いうまでもない。
【００４２】
なお、本発明の実施の形態においては、理解を容易にするために、サービス情報の内容を、テレビ番組で紹介されている場所の周辺地図としたが、本発明は、サービス情報の内容を限定するものではない。したがって、本発明においては、たとえば、テレビ番組やインターネットなどにおいて表示されている店舗・施設などに行くための地図や、テレビ番組やインターネットなどにおいて表示されている店舗・施設などに関する詳細な情報やクーポン券の画像や、テレビ番組やインターネットなどにおいて表示されている地図中に存在する店舗・施設などに関する詳細情報や、テレビ番組やインターネットなどにおいて表示されている地図内のお勧め情報またはお勧め情報提示サイトへのＵＲＬや、テレビ番組やインターネットなどにおいて表示されている地図内のクーポン券またはクーポン券発行サイトへのＵＲＬなどを、サービス情報とすることができる。
【００４３】
以上説明したように、本発明の実施の形態によれば、テレビや液晶ディスプレイなどに表示された情報を、携帯端末に容易に取り込むことができる。したがって、本発明の実施の形態によれば、テレビや液晶ディスプレイなどに表示された情報を紙に打ち出す必要がないため、資源を節約することができ、環境に貢献することができる。
【００４４】
また、本発明の実施の形態によれば、テレビや液晶ディスプレイなどに表示された情報を、ユーザが容易に持ち運ぶことができるため、ユーザが、テレビや液晶ディスプレイなどに表示された情報にアクセスする可能性が高くなる。さらに、本発明をテレビ放送に適用した場合には、ユーザが不特定多数となる。したがって、本発明の実施の形態は、広告供給者にとって、魅力的な広告の手段である。
【００４５】
また、本発明の実施の形態によれば、テレビや液晶ディスプレイなどに表示された情報と、シンボルと、を同期させることができる。したがって、本発明の実施の形態によれば、ユーザが必要とする情報を的確に携帯端末に取り込むことができる。
【００４６】
従来の技術では、地図を他メディアで再取得する際には、取得したい端末へ情報を送信するための情報（メールアドレス等）が必要であったため、メールアドレスを画面上で入力したり、事前の会員登録が必要となったり、メールを使って携帯端末で取得する地図画像に関する情報を各端末へ相当のコストの下で配信したりしていたが、本発明の実施の形態によれば、携帯端末のコードリーダ機能を利用して携帯端末で取得する地図画像に関する情報を取得するため、特に各携帯端末の情報（メールアドレス等）は必要なく、また、利用時に入力や登録といった作業を行う必要もない。また、本発明の実施の形態によれば、不特定多数の携帯端末を対象として地図画像を配信することができる。また、本発明の実施の形態によれば、携帯端末向け画像を取得する情報のやり取りがコードと携帯端末で完結するため、コストがかからない。
【実施例１】
【００４７】
図１６は、本発明の実施例１を説明する図である。
実施例１においては、テレビ番組に連動して、このテレビ番組で紹介された店舗や施設の周辺地図が、この周辺地図のモバイル用ＵＲＬを含むシンボルとともに、テレビに表示される。テレビに表示されたシンボルを携帯端末で読み取れば、テレビ番組で紹介された店舗や施設の情報を、携帯端末に容易に取り込むことができる。
【実施例２】
【００４８】
図１７は、本発明の実施例２を説明する図である。
実施例２においては、インターネット上の地図検索ポータルサイトからダウンロードする地図や、この地図のモバイル用ＵＲＬが埋め込まれたシンボルが、液晶ディスプレイに表示される。液晶ディスプレイに表示されたシンボルを携帯端末で読み取れば、目的地の地図を携帯端末に容易に取り込むことができる。
【産業上の利用可能性】
【００４９】
本発明は、デジタル放送における双方向サービスに適しているが、本発明をすべての双方向サービスに利用できることは、いうまでもない。
【図面の簡単な説明】
【００５０】
【図１】本発明の実施の形態に係る放送システムを示す図である。
【図２】本発明の実施の形態に係る放送システムにおいて、テレビに表示されるウィンドウを示す図である。
【図３】本発明の実施の形態において、携帯端末に表示される画面を説明する図である。
【図４】ページ生成サーバ１の構成例を示す図である。
【図５】ページ生成サーバプログラムのフローチャートを示す図である。
【図６】ページ生成サーバ１が、ＢＭＬページに記述するＢＭＬ要素の例を示す図である。
【図７】ディスプレイ用検索サーバ２の構成例を示す図である。
【図８】ディスプレイ用検索サーバプログラムのフローチャートを示す図である。
【図９】モバイル用検索サーバ３の構成例を示す図である。
【図１０】モバイル用検索サーバプログラムのフローチャートを示す図である。
【図１１】ＢＭＬページ上のスクリプトを説明する図である。
【図１２】コード変換サーバ５の構成例を示す図である。
【図１３】コード変換サーバプログラムのフローチャートを示す図である。
【図１４】携帯端末６の構成例を示す図である。
【図１５】携帯端末プログラムのフローチャートを示す図である。
【図１６】本発明の実施例１を説明する図である。
【図１７】本発明の実施例２を説明する図である。
【符号の説明】
【００５１】
１    ページ生成サーバ
２    ディスプレイ用検索サーバ
３    モバイル用検索サーバ
４    デジタル放送受信装置
５    コード変換サーバ
６    携帯端末
７    テレビ
７−１    テレビ番組
７−２    地図
７−３    中心を移動するボタン
７−４    縮尺を変更するボタン
７−５    戻るためのボタン
７−６    再表示のためのボタン
７−７    シンボル
８    データベース（ＤＢ）
９    中継装置
１０  衛星
１１、１２、１３  アンテナ
１４    ネットワーク
１５    ネットワーク接続用ケーブル
【図１】
2005284340.tif 000003
【図２】
2005284340.tif 000004
【図３】
2005284340.tif 000005
【図４】
2005284340.tif 000006
【図５】
2005284340.tif 000007
【図６】
2005284340.tif 000008
【図７】
2005284340.tif 000009
【図８】
2005284340.tif 000010
【図９】
2005284340.tif 000011
【図１０】
2005284340.tif 000012
【図１１】
2005284340.tif 000013
【図１２】
2005284340.tif 000014
【図１３】
2005284340.tif 000015
【図１４】
2005284340.tif 000016
【図１５】
2005284340.tif 000017
【図１６】
2005284340.tif 000018
【図１７】
2005284340.tif 000019